【事件の表示】
　特許第６４３１２２６号発明「横型ブラインド」の特許異議申立事件について、次のとおり決定する。
【結　論】
　特許第６４３１２２６号の特許請求の範囲を、訂正請求書に添付された訂正特許請求の範囲のとおり、訂正後の請求項［１ー８］について訂正することを認める。
　特許第６４３１２２６号の請求項１、３、５ないし８に係る特許を維持する。
　特許第６４３１２２６号の請求項２、４に係る特許についての特許異議の申立てを却下する。 
【理　由】
第１　手続の経緯
　特許第６４３１２２６号の請求項１ないし８に係る特許についての出願は、平成２５年６月１８日を国際出願日とする特願２０１４−５２１４８１号の一部を、平成３０年３月１３日に新たな特許出願としたものであって、平成３０年１１月９日にその特許権の設定登録がされ、平成３０年１１月２８日に特許掲載公報が発行された、その後、その特許について、平成３１年４月２４日に特許異議申立人加藤浩志（以下「申立人」という。）により特許異議の申立てがされ、当審は、令和１年８月９日付けで取消理由を通知した（８月１５日発送）。特許権者は、その指定期間内である令和１年１０月１１日に意見書の提出及び訂正の請求（以下「本件訂正請求」という。）を行った。なお、当審は、その訂正の請求に対して、申立人に期間を指定して意見書を提出する機会を与えたが、何らの応答もなかった。
第２　本件訂正請求について
１　訂正の内容
　本件訂正請求による訂正の内容（以下「本件訂正」という。）は、以下のとおりである。
（下線は、訂正箇所を示す。）
（１）訂正事項１
　特許請求の範囲の請求項１に「前記ラダーコードの各段の横糸は一方の横糸と他方の横糸とを備え、
　前記スラットの閉回動時、一方の横糸は、張った状態となりスラットを支持し、他方の横糸は、切欠部に入り込む」とあるのを、
「前記ラダーコードの各段
は、一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し、
　
前記スラットは、前記交差部が前記切欠部と対向するように、前記一方の横糸と前記他方の横糸との間に挿入され、
　前記スラットの閉回動時、
前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する
（２）訂正事項２
　特許請求の範囲の請求項２を削除する。
（３）訂正事項３
　特許請求の範囲の請求項３に「請求項１または２に記載の横型ブラインド。」と記載されているのを、「
請求項１
（４）訂正事項４
　特許請求の範囲の請求項４を削除する。
（５）訂正事項５
　特許請求の範囲の請求項５に「請求項４に記載の横型ブラインド。」と記載されているのを、「
請求項３
（６）訂正事項６
　特許請求の範囲の請求項６に「前記スラットの閉回動時、前記交差部は、前方から見て、前記スラットの後方に隠れて位置する
  請求項４または５に記載の横型ブラインド。」と記載されているのを、
「前記スラットの閉回動時、前記交差部
が
当該交差部を形成する横糸が支持する
　
請求項１，３，５のうち何れか１項
に訂正する。
（７）訂正事項７
　特許請求の範囲の請求項７に「前記スラットの全閉回動時、前記切欠部が前記スラットの下側に位置する箇所において、前記交差部は、前方から見て、前記スラットの後方に隠れて位置する
  請求項４または５に記載の横型ブラインド。」と記載されているのを、
「前記スラットの全閉回動時、前記切欠部が前記スラットの下側に位置する箇所において、前記交差部
が
当該交差部を形成する横糸が支持する
　
請求項１，３，５のうち何れか１項
に訂正する。
（８）訂正事項８
　特許請求の範囲の請求項８に「前記スラットの長手方向の両側に位置するラダーコードであって、前記スラットの正全閉回動時、前記切欠部が前記スラットの下側に位置する箇所において、前記交差部は、前方から見て、前記スラットの後方に隠れて位置する
  請求項４または５に記載の横型ブラインド。」と記載されているのを、
「前記スラットの長手方向の両側に位置するラダーコードであって、前記スラットの正全閉回動時、前記切欠部が前記スラットの下側に位置する箇所において、前記交差部
が
当該交差部を形成する横糸が支持する
　
請求項１，３，５のうち何れか１項
に訂正する。
２　訂正の適否の判断
（１）訂正事項１
　ア　訂正の目的
　訂正事項１は、訂正前の請求項１に係る発明を特定する事項である「ラダーコードの各段」について、「横糸は一方の横糸と他方の横糸とを備え」るものを、横糸と縦糸の関係を特定して、「一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成」するものに限定し、また、「スラット」について、横糸との位置関係を「前記交差部が前記切欠部と対向するように、前記一方の横糸と前記他方の横糸との間に挿入され」るものに限定し、さらに、「スラットの閉回動時」について、「一方の横糸は、張った状態となりスラットを支持し、他方の横糸は、切欠部に入り込む」ものを、スラットと横糸との関係をさらに特定して、「前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」ものに限定する訂正であるから、訂正事項１は、特許請求の範囲の減縮を目的と訂正である。
　イ　特許請求の範囲の拡張または変更
　訂正事項１は、上記アのとおり、特許請求の範囲の減縮を目的とするものであるから、実質上特許請求の範囲を拡張し、又は変更するものではない。
　ウ　新規事項
　本件特許明細書に、
「【００１１】
　請求項２に記載の発明では、前記スラットは、前記一方の横糸と前記他方の横糸との間に挿入される。」、
「【００１３】
　請求項４に記載の発明では、前記一方の横糸と前記他方の横糸は、交差部を備え、前記交差部は、前記切欠部側にある。」、
「【００２８】
　各横糸６ａ，６ｂは、中間部で互いに交差する交差部７が形成されるように、縦糸５ａ，５ｂに対し上下方向に一定の間隔を隔てた位置に形成されている。すなわち、一方の縦糸５ａでは横糸６ｂが横糸６ａより下方に形成され、他方の縦糸５ｂでは横糸６ａが横糸６ｂより下方に形成されている。よって、例えば、前記操作装置１６の操作によって、図５に示すように、縦糸５ａが下方へ移動し、縦糸５ｂが上方へ移動する場合には、横糸６ａが若干弛むのに反して、横糸６ｂは張った状態、即ちテンションが掛かった状態とされる。」、
「【００３７】
　操作装置１６の操作によって、図９（ａ）〜図９（ｃ）に示すように、後方側の縦糸５ａが下方へ移動し、前方側の縦糸５ｂが上方へ移動する正閉回動時には、横糸６ａが若干弛み、横糸６ｂは張った状態、即ちテンションが掛かった状態となる。」、
「【００３８】
　このとき、昇降コード１１，１３の垂下箇所の上部側（最上段から５段目まで）では、図９（ａ）に示すように、スラット４の切欠部４ａに横糸６ａが入り込み、スラット４の後方側縁部（下端縁部）が下方に落ち込むことで、スラット４の起き上がり度合いが大きくなる。」と記載され、
そして、本件特許の図９の（ａ）、（ｂ）や図１０の（ｃ）、（ｄ）をみると、横糸６ａの弛み部分が、スラット４の切欠部４ａに入り込んでいることが看取できる。
　したがって、訂正事項１は、願書に添付した明細書、特許請求の範囲又は図面（以下「明細書等」という。）に記載した事項の範囲内においてしたものである。
（２）訂正事項２
　訂正事項２は、請求項の記載を削除する訂正であるから、特許請求の範囲の減縮を目的とするものであって、実質上特許請求の範囲を拡張し、又は変更するものではなく、明細書等に記載した事項の範囲内においてしたものであることは明らかである。
（３）訂正事項３
　訂正事項３は、訂正前の請求項３が、訂正前の請求項１または２を引用する記載であったものを、請求項２の削除に伴って、請求項１のみを引用する記載に改める訂正であるから、特許請求の範囲の減縮を目的とするものであって、実質上特許請求の範囲を拡張し、又は変更するものではなく、明細書等に記載した事項の範囲内においてしたものであることは明らかである。
（４）訂正事項４
　訂正事項４は、請求項の記載を削除する訂正であるから、特許請求の範囲の減縮を目的とするものであって、実質上特許請求の範囲を拡張し、又は変更するものではなく、明細書等に記載した事項の範囲内においてしたものであることは明らかである。
（５）訂正事項５
　訂正事項５は、訂正前の請求項５が、訂正前の請求項４を引用する記載であったものを、請求項４の削除に伴って、訂正前の請求項４が引用する請求項１ないし３のうちの何れか１項のうちの請求項３を引用する記載に改める訂正である。そして、本件訂正により、訂正前の請求項２及び請求項４の記載は、削除されて実質的に請求項１に加えられており、また、請求項３は請求項１を引用するものであるから、訂正事項５は、特許請求の範囲の減縮を目的とするものであって、実質上特許請求の範囲を拡張し、又は変更するものではなく、明細書等に記載した事項の範囲内においてしたものであることは明らかである。　
（６）訂正事項６
　ア　訂正の目的
　（ア）「当該交差部を形成する横糸が支持する」を加える訂正について
　当該訂正は、訂正前の請求項６に係る発明を特定する事項である「前記スラットの閉回動時、前記交差部が、前方から見て、」その「後方に隠れて位置する」とされる「スラット」について、「当該交差部を形成する横糸が支持する」ものに特定する訂正であるから、特許請求の範囲の減縮を目的とする訂正である。
　（イ）「請求項４または５」を「請求項１，３，５のうち何れか１項」とする訂正について
　当該訂正は、訂正前の請求項６が請求項４または５を引用する記載について、そのうち、訂正前の請求項４が請求項１ないし３の何れか１項を引用していたところ、請求項２及び４が削除されて請求項１に加えられたことに伴い、「請求項１，３，５のうち何れか１項」を引用する記載に改める訂正であるから、特許請求の範囲の減縮を目的とするものである。
　イ　特許請求の範囲の拡張又は変更
　訂正事項６は、上記アのとおり、特許請求の範囲の減縮を目的とするものであるから、実質上特許請求の範囲を拡張し、又は変更するものではない。
　ウ　新規事項
　本件特許の図９の（ａ）、（ｂ）や図１０の（ｃ）、（ｄ）において、縦糸５ｂ方向から見ると、交差部４ａを形成する一対の横糸６ａ、６ｂによって挟まれているスラット４により、該交差部が隠れていることが看て取れる。
　そして、本件特許明細書に、「【００３７】操作装置１６の操作によって、図９（ａ）〜図９（ｃ）に示すように、後方側の縦糸５ａが下方へ移動し、前方側の縦糸５ｂが上方へ移動する正閉回動時には、横糸６ａが若干弛み、横糸６ｂは張った状態、即ちテンションが掛かった状態となる。」と記載されているから、上記図９の（ａ）、（ｂ）や図１０の（ｃ）、（ｄ）の縦糸５ｂ側は前方ということができる。
　したがって、訂正事項６は、明細書等に記載した事項の範囲内においてしたものである。　
　
（７）訂正事項７、８
　訂正事項７、８は、その訂正箇所が訂正事項６の訂正箇所と同様の訂正であるから、上記（６）で説示したことと同様に、訂正事項７、８は、特許請求の範囲の減縮を目的とし、実質上特許請求の範囲を拡張し、又は変更するものではなく、明細書等に記載した事項の範囲内においてしたものである。
（８）一群の請求項について
　訂正前の請求項１〜８について、請求項２〜８は、それぞれ請求項１を直接または間接的に引用するものであって、訂正事項１によって記載が訂正される請求項１に連動して訂正されるものである。したがって、訂正前の請求項１〜８に対応する訂正後の請求項１〜８は、一群の請求項である。
３　訂正請求のまとめ
　以上のとおりであるから、本件訂正は、特許法第１２０条の５第２項ただし書第１号に掲げる事項を目的とするものであり、かつ、同条第９項において準用する同法第１２６条第５項及び第６項の規定に適合する。
　したがって、特許請求の範囲を訂正請求書に添付された訂正特許請求の範囲のとおり、訂正後の請求項［１−８］について訂正することを認める。
第３　訂正後の本件発明
　本件訂正請求により訂正された請求項１ないし８に係る発明（以下、「本件発明１」等といい、全体を「本件発明」という。）は、訂正特許請求の範囲の請求項１ないし８に記載された次の事項により特定されるとおりのものである。
「【請求項１】
　ヘッドボックスから吊下支持される複数本のラダーコードに複数段のスラットを支持し、前記ヘッドボックスから垂下される複数本の昇降コードを前記スラットの前方及び後方にそれぞれ垂下し、操作装置の操作により前記ラダーコードを介してスラットを回動可能とするとともに、前記昇降コードを昇降して前記スラットを昇降可能とした横型ブラインドにおいて、
　前記スラットは、前後方向における少なくとも一方の縁部に切欠部を備え、
　前記ラダーコードの各段は、一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し、
　前記スラットは、前記交差部が前記切欠部と対向するように、前記一方の横糸と前記他方の横糸との間に挿入され、
　前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する
　横型ブラインド。
【請求項２】（削除）
【請求項３】
　前記昇降コードは、前記一方の横糸と前記他方の横糸との間に挿入される
　請求項１に記載の横型ブラインド。
【請求項４】（削除）
【請求項５】
　前記一方の縦糸と、前記一方の横糸および前記他方の横糸と、前記交差部とで囲まれる空間に前記昇降コードが挿通される
　請求項３に記載の横型ブラインド。
【請求項６】
　前記スラットの閉回動時、前記交差部が、前方から見て、当該交差部が形成する横糸が支持する前記スラットの後方に隠れて位置する
　請求項１，３，５のうち何れか１項に記載の横型ブラインド。
【請求項７】
  前記スラットの全閉回動時、前記切欠部が前記スラットの下側に位置する箇所において、前記交差部は、前方から見て、当該交差部が形成する横糸が支持する前記スラットの後方に隠れて位置する
　請求項１，３，５のうち何れか１項に記載の横型ブラインド。
【請求項８】
　前記スラットの長手方向の両側に位置するラダーコードであって、前記スラットの正全閉回動時、前記切欠部が前記スラットの下側に位置する箇所において、前記交差部は、前方から見て、当該交差部を形成する横糸が支持する前記スラットの後方に隠れて位置する
　請求項１，３，５のうち何れか１項に記載の横型ブラインド。」
第４　取消理由通知に記載した取消理由について
１　取消理由の概要
　訂正前の請求項１〜８に係る特許に対して、当審が令和１年８月９日付けで特許権者に通知した取消理由の概要は、次のとおりである。
「１．（明確性）本件出願は、特許請求の範囲の記載が不備のため、特許法第３６条第６項第２号に規定する要件を満たしていない。
２．（サポート要件）本件出願は、特許請求の範囲の記載が不備のため、特許法第３６条第６項第１号に規定する要件を満たしていない。
３．（実施可能要件）本件出願は、明細書の記載が不備のため、特許法第３６条第４項第１号に規定する要件を満たしていない。
４．（新規性）本件出願の請求項１ないし８に係る発明は、本件特許出願前に日本国内又は外国において頒布された下記の甲第１号証または甲第２号証に記載された発明であって、特許法第２９条第１項第３号に該当するから、下記の請求項に係る特許は、特許法第２９条第１項の規定に違反してされたものである。
５．（進歩性）本件出願の請求項１ないし８に係る発明は、本件特許出願前に日本国内又は外国において頒布された下記の甲第１号証に記載された発明に基いて、また、請求項１、２に係る発明は、下記の甲第２号証に記載された発明に基いて、請求項３ないし８に係る発明は、下記の甲第２号証及び甲第１号証に記載の発明、及び甲第３号証に記載の事項に基いて、本件特許出願前にその発明の属する技術の分野における通常の知識を有する者が容易に発明をすることができたものであるから、下記の請求項に係る特許は、特許法第２９条第２項の規定に違反してされたものである。
　甲第１号証：国際公開第２０１１／１３８９６０号
　甲第２号証：特開２０１１−２５６５７８号公報
　甲第３号証：米国特許第５７２７６１３号明細書」 
  
２　甲号証の記載
（１）　甲第１号証
　取消理由通知で引用された甲第１号証には、図面とともに以下の事項が記載されている。
（下線は、決定で付した。以下同様。）
　ア　「［０００１］　本発明は、スラットの前後方向中心部からオフセットされた位置に昇降コードが配設される横型ブラインドに関する。」
　イ　「［００２４］（第１実施形態） 
　図１ないし図１０は、本発明の第１実施形態を表す。この実施形態は、特に重い製品に適用するのに適したものである。 
［００２５］　この横型ブラインドにおいては、ブラケット１１により窓枠等に固定されるヘッドボックス１０の一端から
無端状の操作コード（操作部）１４
プーリ（操作部）１５に巻掛け
て、これを回転駆動可能
プーリ１５の回転
クラッチを介して
回転軸１２に伝達可能であ
［００２６］　各昇降ドラム２０の配置位置からヘッドボックス１０の下方に、ラダーコード１６がそれぞれ垂下しており、各ラダーコード１６は回転軸１２の所定範囲角度の回転に連動して傾動するようになっている。
各ラダーコード１６は、ヘッドボックス１０の前後方向に所定間隔を空けてそれぞれ垂下する前後の垂直コード１６ａ及び１６ｂと、上下方向に所定間隔を空けた位置において前後の垂直コード１６ａ及び１６ｂ間に架設される中段コード１６ｃとから成
各中段コード１６ｃは、さらに、一対の僅かに上下に離れた上コード及び下コードから成
［００２７］　ラダーコード１６は、
各中段コード１６ｃの上コードと下コードの上下関係を中間で逆にして一対の交叉部分を形成して、その交叉部分の間にスラット１８を挿入することにより、多数のスラット１８を整列状態に支持しており
　ウ　「［００３５］　図１０に示すように、
スラット１８の後側の側縁には少なくとも１つの切欠部１８ａが形成されており、ラダーコード１６の中段コード１６ｃの交叉部分が切欠部１８ａに引っ掛るようになっており
　エ　「　　　　　　　　特許請求の範囲　 　 
［請求項１］　
ヘッドボックス（１０）内に回転可能に支持される回転軸（１２）と、回転軸の回転に連動して傾動する複数のラダーコード（１６）と、ラダーコードに整列状態に支持される多数のスラット（１８）と、スラットを昇降可能な複数の昇降コード（２２）と、を備え、昇降コードがスラットの前後方向中心部からオフセットされた位置に配設された、横型ブラインドにおいて、
　
回転軸の回転に連動して回転する複数の昇降ドラム（２０）を備え、該昇降ドラムに昇降コードの一端が巻取り及び巻解き可能に連結されており、 
　少なくとも一つの昇降コード（２２ａ）がヘッドボックスの前後方向における一方側からヘッドボックス内に導入されるとともに、他の昇降コード（２２ｂ）がヘッドボックスの前後方向における他方側からヘッドボックス内に導入され、
　
ヘッドボックスの前後方向における異なる位置からそれぞれヘッドボックス内に導入された全ての昇降コード（２２ａ、２２ｂ）を、それぞれの一端が連結される昇降ドラム（２０ａ、２０ｂ）によって同一方向に巻き取ることを特徴とする横型ブラインド。 
［請求項２］　各昇降ドラムは、昇降コードの一端が巻取り及び巻解き可能に連結されるドラム部（２６）と、ドラム部を回転自在に支持するドラム受け（２８）と、から構成され、ドラム受けは、昇降コードをスラットの前後方向中心部からオフセットされた位置に垂下させるための昇降コードガイド部（２８ｃ、２８ｄ）を有することを特徴とする請求項１記載の横型ブラインド。
［請求項３］　ドラム受けは、ラダーコードの前後の垂直コードが所定量以上前後方向に開かないよう規制するラダーコードガイド部（２８ａ、２８ｂ）をさらに有し、昇降コードガイド部は、ラダーコードガイド部の前後方向の外側に形成されることを特徴とする請求項２記載の横型ブラインド。
［請求項４］　スラットの側縁には少なくとも１つの切欠部（１８ａ）が形成されており、
少なくとも１つの切欠部に沿ってラダーコードの前後の垂直コード（１６ａ、１６ｂ）のうちの一方が配されており、少なくとも１つの切欠部において、昇降コードは切欠部と垂直コードとの間を挿通するように配設される
　オ　［図１６］（ａ）〜（ｃ）を参照すると、切欠部（１８ａ）において、昇降コード（２２ａ）は、垂直コード（１６ｂ）、上コード、下コード、上コードと下コードの交叉部分とで囲まれる空間に挿通されていること、
及び、切欠部（１８ａ）がスラット（１８）の上側または下側に位置するときに、切欠部（１８ａ）は、隣接するスラット（１８）の後方に位置していること、が看取できる。
　カ　上記アないしオからみて、甲第１号証には、次の発明（以下「甲１発明」という。）が記載されているものと認める。 
「ヘッドボックス（１０）内に回転可能に支持される回転軸（１２）と、回転軸の回転に連動して傾動する複数のラダーコード（１６）と、ラダーコードに整列状態に支持される多数のスラット（１８）と、スラットを昇降可能な複数の昇降コード（２２）と、を備え、昇降コードがスラットの前後方向中心部からオフセットされた位置に配設された、横型ブラインドにおいて、
　無端状の操作コード（操作部）（１４）をプーリ（操作部）（１５）に巻掛けて、これを回転駆動可能とし、プーリ（１５）の回転をクラッチを介して回転軸（１２）に伝達可能であり、
　回転軸の回転に連動して回転する複数の昇降ドラム（２０）を備え、該昇降ドラムに昇降コードの一端が巻取り及び巻解き可能に連結されており、
　ヘッドボックスの前後方向における異なる位置からそれぞれヘッドボックス内に導入された全ての昇降コード（２２ａ、２２ｂ）を、それぞれの一端が連結される昇降ドラム（２０ａ、２０ｂ）によって同一方向に巻き取るものであって、
　各ラダーコード（１６）は、ヘッドボックス（１０）の前後方向に所定間隔を空けてそれぞれ垂下する前後の垂直コード（１６ａ、１６ｂ）と、上下方向に所定間隔を空けた位置において前後の垂直コード（１６ａ、１６ｂ）間に架設される中段コード（１６ｃ）とから成り、各中段コード（１６ｃ）は、さらに、一対の僅かに上下に離れた上コード及び下コードから成っており、各中段コード（１６ｃ）の上コードと下コードの上下関係を中間で逆にして一対の交叉部分を形成して、その交叉部分の間にスラット（１８）を挿入することにより、多数のスラット（１８）を整列状態に支持しており、
　スラット（１８）の後側の側縁には少なくとも１つの切欠部（１８ａ）が形成されており、ラダーコード（１６）の中段コード（１６ｃ）の交叉部分が切欠部（１８ａ）に引っ掛るようになっており、
　少なくとも１つの切欠部に沿ってラダーコードの前後の垂直コード（１６ａ、１６ｂ）のうちの一方が配されており、少なくとも１つの切欠部において、昇降コードは切欠部と垂直コードとの間であって、垂直コード（１６ｂ）、上コード、下コード、上コードと下コードの交叉部分とで囲まれる空間に挿通され、
　切欠部（１８ａ）がスラット（１８）の上側または下側に位置するときに、切欠部（１８ａ）は、隣接するスラット（１８）の後方に位置している、
　横型ブラインド。」 
（２）甲第２号証
　取消理由通知で引用された甲第２号証には、図面とともに以下の事項が記載されている。
　ア　「【特許請求の範囲】
【請求項１】 
　
ヘッドボックス（１０）から垂下する複数のラダーコード（１６）と、ラダーコードに整列状態に支持される多数のスラット（１８）と、を備え、ラダーコードによってスラットの傾斜を可変とした、横型ブラインドにおいて、 
　
ラダーコードは、前後に配置される垂直コード（１６ａ、１６ｂ）と、前後の垂直コードの上下方向に所定間隔を空けた複数位置に、前後の垂直コードに渡って設けられる中段コード（１６ｃ）とから成り、
　
少なくとも１つのラダーコード（１６）の中段コード（１６ｃ）は
から構成され
重合部（１６ｊ）が中段コードに形成された状態で、一対のコード（１６ｄ、１６ｅ）間にスラット（１８）が挿通され、スラットの側縁に形成した切欠部（１８ａ）に重合部が係合される
【請求項２】 
　前記中段コード（１６ｃ）を構成する一対のコード（１６ｄ、１６ｅ）は、前後の垂直コード（１６ａ、１６ｂ）の間に
平行に架設された上コード（１６ｄ）と下コード（１６ｅ）
上下のコード（１６ｄ、１６ｅ）の上下関係を逆にした後、上下のコードが絡み合う方向に向かって上下関係を元に戻すことで重合部（１６ｊ）が形成される
【請求項３】 
　前記中段コード（１６ｃ）を構成する一対のコード（１６ｄ、１６ｅ）は、前後の垂直コード（１６ａ、１６ｂ）の間に交差した状態で架設されたコードであり、交差した部分から一方側の一対のコードの上下関係を逆にすることによって交差した部分に重合部（１６ｊ）が形成されることを特徴とする請求項１記載の横型ブラインド。
　イ　「【技術分野】 
【０００１】 
　本発明は、ラダーコードからのスラットの抜けを防止する構造を有する横型ブラインドに関する。」 
　ウ　「【発明の効果】 
【００１２】 
　本発明によれば、中段コードを構成する一対のコード同士が一重以上絡み合う重合部を形成することによって、スラットの畳み込みに伴って垂直コード部分が横たわるような状態になっても、重合部は少なくとも中段コード同士が交差した状態を維持しており、重合部とスラットの切欠部との係合を維持することができるため、スラットの水平方向のずれを防止することができる。
　エ　「【発明を実施するための形態】 
【００１４】 
　以下、図面を用いて本発明の実施形態を説明する。 
【００１５】 
　図１ないし図５は、本発明の実施形態を表す。 
　本実施形態による横型ブラインドは、ブラケット１１により窓枠等に固定されるヘッドボックス１０を有しており、ヘッドボックス１０の一端から
無端状の操作コード１４
プーリ１５に巻掛けられて、これを回転駆動可能
プーリ１５の回転はクラッチを介して
回転軸１２に伝達可能であ
回転軸１２にはこれの回転に連動して回転する３個の回転ドラム２０が
設けられて
【００１６】 
　
各回転ドラム２０の配置位置からヘッドボックス１０の下方に、ラダーコード１６がそれぞれ垂下しており、各ラダーコード１６は回転軸１２の所定範囲角度の回転に連動して傾動するようになって
　オ　「【００２１】 
　
各回転ドラム２０にはさらに、昇降コード２２の一端を巻取り及び巻解き可能に連結され
他端は、ヘッドボックス１０から垂下し、ボトムレール２４に連結され
　カ　「【００２３】 
　
操作コード１４を操作して回転軸１２を回転することにより、ラダーコード１６が傾動して中段コード１６ｃ及びスラット１８が傾斜
回転軸１２をさらに回転することにより、昇降コード２２が回転ドラム２０に巻き取られまたは巻き解かれ
　キ　上記アないしカからみて、甲第２号証には、次の発明（以下「甲２発明」という。）が記載されているものと認める。 
「ヘッドボックス（１０）から垂下する複数のラダーコード（１６）と、ラダーコードに整列状態に支持される多数のスラット（１８）と、を備え、ラダーコードによってスラットの傾斜を可変とした、横型ブラインドにおいて、
　ラダーコードは、前後に配置される垂直コード（１６ａ、１６ｂ）と、前後の垂直コードの上下方向に所定間隔を空けた複数位置に、前後の垂直コードに渡って設けられる中段コード（１６ｃ）とから成り、
　少なくとも１つのラダーコード（１６）の中段コード（１６ｃ）は平行に架設された上コード（１６ｄ）と下コード（１６ｅ）から構成され、上下のコード（１６ｄ、１６ｅ）の上下関係を逆にした後、上下のコードが絡み合う方向に向かって上下関係を元に戻すことで形成される重合部（１６ｊ）が中段コードに形成された状態で、一対のコード（１６ｄ、１６ｅ）間にスラット（１８）が挿通され、スラットの側縁に形成した切欠部（１８ａ）に重合部（１６ｊ）が係合される
　横型ブラインドにおいて、 
　無端状の操作コード（１４）がプーリ（１５）に巻掛けられて、これを回転駆動可能とし、プーリ（１５）の回転をクラッチを介して回転軸（１２）に伝達可能であり、回転軸（１２）にはこれの回転に連動して回転する３個の回転ドラム（２０）が設けられ、
　各回転ドラム（２０）の配置位置からヘッドボックス（１０）の下方に、ラダーコード（１６）がそれぞれ垂下しており、各ラダーコード（１６）は回転軸（１２）の所定範囲角度の回転に連動して傾動するようになっており、
　各回転ドラム（２０）にはさらに、昇降コード（２２）の一端を巻取り及び巻解き可能に連結され、他端は、ヘッドボックス（１０）から垂下し、ボトムレール（２４）に連結され、
　操作コード（１４）を操作して回転軸（１２）を回転することにより、ラダーコード（１６）が傾動して中段コード（１６ｃ）及びスラット（１８）が傾斜し、回転軸（１２）をさらに回転することにより、昇降コード（２２）が回転ドラム（２０）に巻き取られまたは巻き解かれる、
　横型ブラインド。」 
（３）甲第３号証 
　取消理由通知で引用された甲第３号証には、以下の事項が記載されている。
　ア　「Therefore, lift cord 26 may freely pass between threads 23 and 24 of each rung 22.」（２欄６６〜６７行）
「したがって、昇降コード２６は、各ラング２２の横糸２３と横糸２４の間を自由に通過することができる。」（申立人による仮訳）
　イ　Ｆｉｇ．３及びＦｉｇ．４は以下のとおり。 
  
  
　ウ　Ｆｉｇ．３及びＦｉｇ．４を参照すると、横糸２３及び横糸２４の間を昇降コード２６が通っていることが看取できる。
（４）甲第５号証
　取消理由通知で引用したものではないが、申立人が特許異議申立書に添付した実公平７−６４７７号公報（以下「甲第５号証」という。）には、以下の事項が記載されている。
　ア　「〔実施例〕
以下、この考案を具体化した第一実施例を図面に基づいて説明する。尚、前記従来とと同一構成部分は同一番号を付して説明する。
第１図、第２図に示すように、ラダーコード１の縦糸２間には所定間隔毎に二本ずつの横糸7a，7bが張設され、その横糸7a，7bは中央部で交差するように互いに傾きの異なる斜状に張設されている。
この横糸7a，7b間に支持されるスラット５はラダーコード１係合位置に係止凹部８が形成されている。その係止凹部８は釣針状に一方へ深くなる形状でスラット５両端に点対称状に形成されている。
さて、このように構成されたラダーコード１にスラット５を組付けるには、スラット５の端隅部を横糸7a，7b間において交差部４の一方へ挿入し、そのスラット５の端縁で交差部４を一方へ移動させながら第２図に示すように横糸7a，7b間にスラット５を挿通し、縦糸２を係止凹部８内に位置させる。すると、互いに他方へ深くなる係止凹部８の形状によりいずれか一方の縦糸２が係止凹部８に確実に係合してスラット５の長手方向の移動が確実に阻止される。
以上のようなスラット支持構造では、横糸7a，7bがあらかじめ交差するように設けられているので、スラット５の同横糸7a，7b間への挿通に際し作業者が横糸7a，7bを上下に引っ繰り返す必要がない。そして、スラット５の端隅部で交差部４と一方の縦糸２との間を押し広げながらスラット５を横糸7a，7b間に挿通することができる。従って、ラダーコード１へのスラット５の組み付けを容易に行うことができる。」（３欄１０〜３８行）
　イ　【図１】、【図２】は以下のとおり。
【図１】
【図２】
　ウ　上記イの図１及び図２を参照すると、横糸７ａ，７ｂにより、交差部４が１つ形成されていること、及び交差部４は、スラット５の係合凹部８に入り込んだ状態となっていることが看取できる。
第５　取消理由についての当審の判断 
１　理由１（明確性：特許法第３６条第６項第２号）
（１）理由１の指摘箇所
　取消理由通知で明確ではないと指摘した特許請求の範囲の記載は、以下のア及びイである。
　ア　請求項１に記載された「前記スラットは、前後方向における少なくとも一方の縁部に切欠部を備え、
　前記ラダーコードの各段の横糸は一方の横糸と他方の横糸とを備え、
　前記スラットの閉回動時、一方の横糸は、張った状態となりスラットを支持し、他方の横糸は、切欠部に入り込む」について、ａ）横糸が「張った状態」、及び、ｂ）「一方の横糸は、張った状態となりスラットを支持し、他方の横糸は、切欠部に入り込む」は不明確である。
　イ　請求項６〜請求項８に記載される「前記交差部は、前方から見て、前記スラットの後方に隠れて位置する」ことについて、どのように隠れるのか不明確である。
（２）判断
　ア　上記（１）アのａ）及びｂ）は、それぞれ、本件訂正請求により、「前記スラットの上方の面に位置する横糸が張った状態」、「前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」と訂正されたことにより、「張った状態」である横糸が明確に特定され、また、「スラットを支持」する横糸と、「切欠部に入り込む」横糸とが明確に特定されたので、特許請求の範囲の上記の記載は、明確性要件を満たすものとなった。
　イ　上記（１）イは、本件訂正請求により、「前記交差部が、前方からみて、当該交差部を形成する横糸が支持するスラットの後方に隠れて位置する」と訂正されたことにより、交差部を隠すスラットが、交差部を形成する横糸が支持するスラットに明確に特定されたので、特許請求の範囲の上記記載は、明確性要件を満たすものとなった。
　ウ　以上のことから、特許請求の範囲の記載は、特許法第３６条第６項第２号の要件を満たしている。
　２　理由２（サポート要件：特許法第３６条第６項第１号）
　取消理由通知では、請求項１の「一方の横糸は、張った状態となりスラットを支持し、他方の横糸は、切欠部に入り込む」ことは、発明の詳細な説明に記載されたものではないとした。
　本件訂正請求により、請求項１の上記記載が「前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」と訂正されたことにより、「スラットを支持」する横糸と、「切欠部に入り込む」横糸とが、本件明細書及び図面に記載されたものとなったので、特許請求の範囲の上記の記載は、サポート要件を満たすものとなった。
　したがって、特許請求の範囲の記載は、特許法第３６条第６項第１号の要件を満たしている。
３　理由３（実施可能要件：特許法第３６条第４項第１号）
　取消理由通知では、請求項１に記載の「一方の横糸は、張った状態となりスラットを支持し、他方の横糸は、切欠部に入り込む」ことは、当業者が実施可能な程度に、発明の詳細な説明に記載されていないとした。
　本件訂正請求により、請求項１の上記記載は、「前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」と訂正されたことにより、「スラットを支持」する横糸と、「切欠部に入り込む」横糸とが、本件明細書及び図面に記載されたものとなったので、特許請求の範囲の上記記載は、発明の詳細な説明の記載に基づいて、当業者が実施可能なものとなり、実施可能要件を満たすものとなった。
　したがって、発明の詳細な説明の記載は、特許法第３６条第４項第１号の要件を満たしている。
４　理由４，５（新規性，進歩性：特許法第２９条第１項第３号，第２項）
１　甲第１号証を主引用例として検討 
（１）本件発明１ 
　ア　対比 
　本件発明１と甲１発明を対比する。 
　（ア）甲１発明の「横型ブラインド」、「ヘッドボックス（１０）」、「ラダーコード（１６）」、「垂直コード（１６ａ、１６ｂ）」、「中段コード（１６ｃ）」、「スラット（１８）」、「昇降コード（２２）」及び「昇降コード（２２ａ）、（２２ｂ）」、「操作コード（操作部）（１４）」及び「プーリ（操作部）（１５）」、「切欠部（１８ａ）」は、その構造及び機能からみて、本件発明１の「横型ブラインド」、「ヘッドボックス」、「ラダーコード」、「縦糸」、「横糸」、「スラット」、「昇降コード」、「操作装置」、「切欠部」に相当する。
　同じく、「上コード」または「下コード」も、「横糸」であって、「一方の横糸」または「他方の横糸」に相当する。 
　（イ）甲１発明において、「各ラダーコード（１６）は、ヘッドボックス（１０）の前後方向に所定間隔を空けてそれぞれ垂下する前後の垂直コード（１６ａ、１６ｂ）と、上下方向に所定間隔を空けた位置において前後の垂直コード（１６ａ、１６ｂ）間に架設される中段コード（１６ｃ）とから成り、」「各中段コード（１６ｃ）の上コードと下コードの上下関係を中間で逆にして一対の交叉部分を形成して、その交叉部分の間にスラット（１８）を挿入」し、「交叉部分が切欠部（１８ａ）に引っ掛かるようになって」いることと、本件発明１の「前記ラダーコードの各段は、一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し、前記スラットは、前記交差部が前記切欠部と対向するように、前記一方の横糸と前記他方の横糸との間に挿入され」ることとは、「前記ラダーコードの各段は、一対の縦糸との間に一方の横糸と他方の横糸とを備え、」「前記一方の横糸と前記他方の横糸とは交差部を形成し、前記スラットは、前記交差部が前記切欠部と対向するように、前記一方の横糸と前記他方の横糸との間に挿入され」ることで共通する。
　（ウ）よって、本件発明１と甲１発明とは、
「ヘッドボックスから吊下支持される複数本のラダーコードに複数段のスラットを支持し、前記ヘッドボックスから垂下される複数本の昇降コードを前記スラットの前方及び後方にそれぞれ垂下し、操作装置の操作により前記ラダーコードを介してスラットを回動可能とするとともに、前記昇降コードを昇降して前記スラットを昇降可能とした横型ブラインドにおいて、
　前記スラットは、前後方向における少なくとも一方の縁部に切欠部を備え、
　前記ラダーコードの各段は、一対の縦糸との間に一方の横糸と他方の横糸とを備え、前記一方の横糸と前記他方の横糸とは交差部を形成し、
　前記スラットは、前記交差部が前記切欠部と対向するように、前記一方の横糸と前記他方の横糸との間に挿入される、
　横型ブラインド。」で一致し、以下の点で相違する。
〔相違点１〕
　本件発明１は、「一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し」ているのに対し、甲１発明は、「垂直コード（１６ａ、１６ｂ）間に架設される」「各中段コード（１６ｃ）の上コードと下コードの上下関係を中間で逆にして一対の交叉部分を形成して」いる点。
〔相違点２〕
　本件発明１は、「前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」のに対し、甲１発明は、中段コード（１６ｃ）の下コードに弛む部分が存在するのか不明であって、さらに、切欠部（１８ａ）が引っ掛かる箇所が交叉部分である点。
　よって、本件発明１と甲１発明とは、実質的な相違点が存在するから、本件発明１は甲１発明と同一ではない。
　イ　相違点の判断
　上記相違点１及び２について検討する。
　甲１発明は、上コードと下コードの上下関係を中間で逆にして交叉部分を一対（２個）形成するものであるが、甲第１号証には、上記相違点１に係る本件発明１の構成のような縦糸と横糸の関係及び交差部を１つとすることを示唆する記載はない。
　また、甲１発明は、中段コード（１６ｃ）の下コードに弛む部分が存在するのか不明であって、さらに、切欠部（１８ａ）が引っ掛かる箇所が交叉部分であるが、甲第１号証には、下コードに弛む部分を設け、該弛む部分が交叉部分に入り込むものとすることを示唆する記載はない。
　そして、上記相違点１及び２に係る本件発明１の構成が、本件特許の出願前に周知及び公知の技術であることを示す証拠は提出されていない。
　よって、上記相違点１及び２に係る本件発明１の構成とすることは、当業者が容易になし得たことではないから、本件発明１は、甲１発明に基いて、当業者が容易に発明をすることができたものではない。
（２）本件発明３、５〜８ 
　本件発明３、５〜８は、本件発明１の構成をすべて含み、さらに限定を加えた発明であるから、上記（１）で検討した理由と同様の理由により、本件発明３、５〜８は、甲１発明と同一ではなく、また、甲１発明に基いて、当業者が容易に発明をすることができたものでもない。
２　甲第２号証を主引用例として検討 
（１）本件発明１ 
　ア　対比 
　本件発明１と甲２発明を対比する。 
　（ア）甲２発明の「横型ブラインド」、「ヘッドボックス（１０）」、「ラダーコード（１６）」、「垂直コード（１６ａ、１６ｂ）」、「中段コード（１６ｃ）」、「スラット（１８）」、「昇降コード（２２）」、「操作コード（１４）」及び「プーリ（１５）」、「切欠部（１８ａ）」は、その構造及び機能からみて、本件発明１の「横型ブラインド」、「ヘッドボックス」、「ラダーコード」、「縦糸」、「横糸」、「スラット」、「昇降コード」、「操作装置」、「切欠部」に相当する。
同じく、「上コード（１６ｄ）」または「下コード（１６ｅ）」も、「横糸」であって、「一方の横糸」または「他方の横糸」に相当する。
　（イ）甲２発明において、「ラダーコードは、前後に配置される垂直コード（１６ａ、１６ｂ）と、前後の垂直コードの上下方向に所定間隔を空けた複数位置に、前後の垂直コードに渡って設けられる中段コード（１６ｃ）とから成り、」「中段コード（１６ｃ）」の「上下のコード（１６ｄ、１６ｅ）の上下関係を逆にした後、上下のコードが絡み合う方向に向かって上下関係を元に戻すことで形成される重合部（１６ｊ）が中段コードに形成された状態で、一対のコード（１６ｄ、１６ｅ）間にスラット（１８）が挿通され、スラットの側縁に形成した切欠部（１８ａ）に重合部が係合される」ことと、本件発明１の「前記ラダーコードの各段は、一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し、前記スラットは、前記交差部が前記切欠部と対向するように、前記一方の横糸と前記他方の横糸との間に挿入され」ることとは、「前記ラダーコードの各段は、一対の縦糸との間に一方の横糸と他方の横糸とを備え、」「前記一方の横糸と前記他方の横糸とは交差部を形成し、前記スラットは、前記交差部が前記切欠部と対向するように、前記一方の横糸と前記他方の横糸との間に挿入され」ることで共通する。
　（ウ）よって、本件発明１と甲２発明とは、
「ヘッドボックスから吊下支持される複数本のラダーコードに複数段のスラットを支持し、前記ヘッドボックスから垂下される複数本の昇降コードを前記スラットの前方及び後方にそれぞれ垂下し、操作装置の操作により前記ラダーコードを介してスラットを回動可能とするとともに、前記昇降コードを昇降して前記スラットを昇降可能とした横型ブラインドにおいて、
　前記スラットは、前後方向における少なくとも一方の縁部に切欠部を備え、
　前記ラダーコードの各段は、一対の縦糸との間に一方の横糸と他方の横糸とを備え、前記一方の横糸と前記他方の横糸とは交差部を形成し、
　前記スラットは、前記交差部が前記切欠部と対向するように、前記一方の横糸と前記他方の横糸との間に挿入される、
　横型ブラインド。」で一致し、以下の点で相違する。
〔相違点３〕
　本件発明１は、「一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成」するのに対し、甲２発明は、「上下のコード（１６ｄ、１６ｅ）の上下関係を逆にした後、上下のコードが絡み合う方向に向かって上下関係を元に戻すことで形成される重合部（１６ｊ）が中段コードに形成される」点。
〔相違点４〕
　本件発明１は、「前記スラットの閉回動時、前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する」のに対し、甲２発明は、中段コード（１６ｃ）の下コード（１６ｅ）に弛む部分が存在するのか不明であって、さらに、切欠部（１８ａ）が係合される箇所が重合部（１６ｊ）である点。
　よって、本件発明１と甲２発明とは、実質的な相違点が存在するから、本件発明１は甲２発明と同一ではない。
　イ　相違点の判断
　上記相違点３及び４について検討する。
　甲２発明は、「上下のコード（１６ｄ、１６ｅ）の上下関係を逆にした後、上下のコードが絡み合う方向に向かって上下関係を元に戻すことで形成される重合部（１６ｊ）が中段コードに形成される」もの、つまり、重合部（１６ｊ）を２箇所形成するものであるが、甲第２号証には、上記相違点３に係る本件発明１の構成のような縦糸と横糸の位置関係及び交差部を１つとすることを示唆する記載はない。
　また、甲２発明は、中段コード（１６ｃ）の下コード（１６ｅ）に弛む部分が存在するのか不明であって、さらに、切欠部（１８ａ）が係合する箇所が重合部（１６ｊ）であるが、甲第２号証には、下コード（１６ｅ）に弛む部分を設け、該弛む部分が重合部（１６ｊ）に入り込むものとすることを示唆する記載はない。
　そして、上記相違点３及び４に係る本件発明１の構成が、本件特許の出願前に周知及び公知の技術であることを示す証拠は提出されていない。
　よって、上記相違点３及び４に係る本件発明１の構成とすることは、当業者が容易になし得たことではないから、本件発明１は、甲２発明に基いて、当業者が容易に発明をすることができたものではない。
（２）本件発明３、５〜８ 
　本件発明３、５〜８は、本件発明１の構成をすべて含み、さらに限定を加えた発明であるから、上記（１）で検討した理由と同様の理由により、甲２発明と同一ではなく、また、甲２発明、甲１発明及び甲第３号証に記載の事項に基いて、当業者が容易に発明をすることができたものでもない。
第６　取消理由通知において採用しなかった特許異議申立理由について
（１）申立人は、特許異議申立書において、本願が分割要件を満たさないことを前提として、訂正前の請求項１ないし５に係る発明は、甲第４号証（国際公開第２０１３／１９１１８６号）に記載された発明及び周知技術に基いて、当業者が容易に発明をすることができたものであり、進歩性を有しない旨、主張する。
　本願の分割要件について、申立人は、訂正前の請求項１に記載された「一方の横糸は、張った状態となりスラットを支持し、他方の横糸は、切欠部に入り込む」は原出願の当初明細書に記載した範囲内でないから、本願の出願日は遡及せず、現実の出願日であることを理由として主張しているが、上記記載は、上記第２の１（１）のとおり訂正されており、当該訂正は本願の明細書等の記載の範囲内の訂正であって、本願の明細書等は、原出願の当初明細書と同様のものであるから、本願は分割要件を満たしている。
　よって、本願が分割要件を満たさないことを前提とする上記進歩性の主張は、採用することができない。
（２）また、訂正前の本件発明４に対し、ラダーコードの交差部がスラットの係止凹部（切欠部）側にあることの周知例として、甲第５号証（実公平７−６４７７号公報）を提出しているが、訂正前の本件発明４を実質的に含む訂正後の本件発明１は、上記第５で説示したとおり、新規性及び進歩性を有しているから、甲第５号証を周知例とする申立人の主張は採用できない。
　なお、申立人が主張することではないが、甲１発明または甲２発明への甲第５号証の記載事項の適用についても確認する。
　甲第５号証には、一方の横糸と他方の横糸の交差部について記載されているものの、スラットの係止凹部は、交差部または縦糸に確実に係合するものであるから、仮に、甲第５号証に記載の技術事項を甲１発明または甲２発明に適用しても、本件発明１の「スラットの下方の面に位置する横糸の弛む部分」及び、該「弛む部分」が「下側に位置する切欠部に入り込んだ状態」との構成と齟齬が生じるので、甲１発明または甲２発明への適用を阻害するものと認められる。
第６　むすび
　以上のとおりであるから、本件発明１、３、５〜８は、取消理由通知に記載した取消理由及び特許異議申立書に記載した特許異議申立理由により取り消すことはできない。さらに、他に本件発明１、３、５〜８に係る特許を取り消すべき理由を発見しない。
　また、本件発明２、４に係る特許は、上記第２のとおり、訂正により削除された。これにより、申立人による特許異議の申立てについて、請求項２、４に係る申立ては、申立ての対象が存在しないものとなったため、特許法第１２０条の８第１項で準用する同法第１３５条の規定により却下する。
　よって、結論のとおり決定する。
【異議決定日】
令和２年４月１７日（２０２０．４．１７）
【訂正の要旨】
審決（決定）の【理由】欄参照。
（５７）【特許請求の範囲】
　【請求項１】
　ヘッドボックスから吊下支持される複数本のラダーコードに複数段のスラットを支持し、前記ヘッドボックスから垂下される複数本の昇降コードを前記スラットの前方及び後方にそれぞれ垂下し、操作装置の操作により前記ラダーコードを介してスラットを回動可能とするとともに、前記昇降コードを昇降して前記スラットを昇降可能とした横型ブラインドにおいて、
　前記スラットは、前後方向における少なくとも一方の縁部に切欠部を備え、
　前記ラダーコードの各段
は、一対の縦糸との間に一方の横糸と他方の横糸とを備え、一方の縦糸は前記一方の横糸が前記他方の横糸より下方に形成され、他方の縦糸は前記他方の横糸が前記一方の横糸より下方に形成され、前記一方の横糸と前記他方の横糸とは交差部を形成し、
　前記スラットは、前記交差部が前記切欠部と対向するように、前記一方の横糸と前記他方の横糸との間に挿入され、
　前記スラットの閉回動時、
前記スラットの上方の面に位置する横糸が張った状態となるとともに前記スラットの下方の面に位置する横糸の弛む部分が起き上がった状態の前記スラットの下側に位置する切欠部に入り込んだ状態となって、前記起き上がった状態のスラットを支持する
　横型ブラインド。
　【請求項２】
（削除）
　【請求項３】
　前記昇降コードは、前記一方の横糸と前記他方の横糸との間に挿入される
　
請求項１
　【請求項４】
（削除）
　【請求項５】
　前記一方の縦糸と、前記一方の横糸および前記他方の横糸と、前記交差部とで囲まれる空間に前記昇降コードが挿通される
　
請求項３
　【請求項６】
　前記スラットの閉回動時、前記交差部
が
当該交差部を形成する横糸が支持する
　
請求項１，３，５のうち何れか１項
　【請求項７】
　前記スラットの全閉回動時、前記切欠部が前記スラットの下側に位置する箇所において、前記交差部
が
当該交差部を形成する横糸が支持する
　
請求項１，３，５のうち何れか１項
　【請求項８】
　前記スラットの長手方向の両側に位置するラダーコードであって、前記スラットの正全閉回動時、前記切欠部が前記スラットの下側に位置する箇所において、前記交差部
が
当該交差部を形成する横糸が支持する
　
請求項１，３，５のうち何れか１項